(57)【特許請求の範囲】
【請求項１】
表層部を縦横の目地溝にて多数の小ブロックに目地割りし下層部に屈撓性連結材を埋設し、上記目地溝底部の接合部における割れを生起せしめて上記各小ブロックを屈撓性連結材にて連結しつつ屈撓せしめる構造を有するセメントと砂と骨材の混合材から成る陸屋根覆工用のセメント系床パネルにおいて、該骨材として、表面に発色釉薬層を有する焼成粘土瓦の廃材を粉砕して得られた、全体が焼成粘土から成る粘土粒子と、表面に発色釉薬片が結合された粘土粒子と、上記発色釉薬層が剥落して粉砕された発色釉薬片とを含有し、表面をショットブラスト加工により粗面にすると共に、該粗面にショットブラスト加工により上記発色釉薬片が無数に露出点在せる地肌模様を形成したことを特徴とするセメント系床パネル。
【請求項２】
セメントと発色釉薬片を含む粘土粒子（全体が焼成粘土から成る粘土粒子と表面に発色釉薬片が結合された粘土粒子）と砂の配合比を１：１．０〜２．０：１．０〜２．０としたことを特徴とする請求項１記載のセメント系床パネル。
【発明の詳細な説明】
【技術分野】
【０００１】
本発明は平屋根、バルコニー、ベランダ等の陸屋根覆工パネル、或いは広場、歩道等の地面覆工パネルとして用いられるセメント系床パネル、殊に産業廃棄物である焼成粘土瓦を骨材として有効利用したセメント系床パネルに関する。
【背景技術】
【０００２】
屋根葺き材として用いられている瓦の多くは焼成粘土瓦であり、殊に釉薬瓦が大部分を占めている。図１に示すように、釉薬瓦１は粘土で成形し乾燥した素地瓦２の表面に釉薬を施し、該釉薬を施した素地瓦を焼成し、該焼成により釉薬を素地瓦表面に融着し発色せしめ、発色釉薬層３を形成した構造を有する。該釉薬は成分により長石釉、フリット釉（ホウケイ酸塩釉）等に分類される。
【０００３】
上記釉薬瓦１は多空隙構造の焼成粘土層から成る焼成素地瓦２と、該焼成素地瓦２の表面に硬質で耐水性に富む焼成発色釉薬層３を有する。
【０００４】
他方出願人は図２に示すように、表層部を縦横の目地溝４にて多数の小ブロック５に目地割りし、下層部に網材６に代表される屈撓性連結材を埋設した床パネルＰを市場に多量に供給している。
【０００５】
上記床パネルＰは目地溝４底部の接合部における割れ７を生起せしめて各小ブロック５を網材６にて連結しつつ屈撓せしめ、これにより敷設面の不陸を吸収して安定に敷設できるようにした構造を有する。
【発明の開示】
【発明が解決しようとする課題】
【０００６】
而して出願人は省資源、環境保全、コスト削減等の見地から、浄水場の沈殿物、焼却炉の焼却灰、鉱滓等の産業廃棄物をリサイクル骨材として再利用することについて研究と試行を重ね、これらを素材として用いたセメント系床パネルやブロックを製品化している。
【０００７】
この産業廃棄物利用の研究と試行の一環として、セメント系床パネルの組成材として、粘土瓦、殊に釉薬層を有する焼成粘土瓦がパネルに美粧効果を与え、且つ透水と保水機能を与えるセメント系床パネルの骨材として適性材であることを見出し、これを利用したセメント系床パネルを提供するものである。
【課題を解決するための手段】
【０００８】
本発明は表層部を縦横の目地溝にて多数の小ブロックに目地割りし下層部に屈撓性連結材を埋設し、上記目地溝底部の接合部における割れを生起せしめて上記各小ブロックを屈撓性連結材にて連結しつつ屈撓せしめる構造を有するセメントと砂と骨材の混合材から成る陸屋根覆工用のセメント系床パネルにおいて、該骨材として、表面に発色釉薬層を有する焼成粘土瓦の廃材を粉砕して得られた粘土粒子を用い、床材に求められる美粧効果と透水効果を付与したセメント系床パネルを提供するものである。
【０００９】
前記焼成粘土瓦は表面に発色釉薬層を有する特有の組成構造を有し、この焼成粘土瓦を粉砕することにより、全体が焼成粘土から成る粘土粒子と、表面に発色釉薬片が結合された粘土粒子と、焼成粘土瓦表面の釉薬層のみが剥落して粉砕された発色釉薬片を得る。
【００１０】
本発明は上記発色釉薬層を有する焼成粘土瓦に由来する、全体が焼成粘土から成る粘土粒子と、表面に発色釉薬片が結合された粘土粒子と表面の釉薬層が剥落して粉砕された焼成発色釉薬片をセメントと砂の混合材に混合し、加水混練してセメント系床パネルを成形する。
【００１１】
セメントに対する発色釉薬片を含む粘土粒子（全体が焼成粘土から成る粘土粒子と表面に発色釉薬片が結合された粘土粒子）と砂の配合比は、１：１．０〜２．０：１．０〜２．０が最適である。
【００１２】
上記セメント系床パネルは上記発色釉薬片（粘土粒子表面に結合された発色釉薬片又は／及び発色釉薬片単体）がパネル表面に無数に露出点在した地肌模様を形成する。
【００１３】
上記各セメント系床パネルの表面をショットブラスト加工により粗面に形成すると共に、該ショットブラスト加工により該粗面に上記発色釉薬片（粘土粒子表面に結合された発色釉薬片又は／及び発色釉薬片単体）が無数に露出点在し形成された地肌模様を顕在化せしめ、該発色釉薬片に由来する地肌模様と上記粗面とが協働してパネル表面に特有の地肌模様を醸成する。
【発明の効果】
【００１４】
上記セメント系床パネルは、防水施工を施した平屋根、バルコニー、ベランダ等に敷設して防水層を保護しつつ歩行面を形成すると共に、雨水を透水せしめて防水層で遮水する機能を有し、上記焼成粘土瓦に由来する粘土粒子はセメント系床パネルにこの透水性能を富有せしめる。
【００１５】
同様に広場や歩道等の地面を覆工したセメント系床パネルは、上記焼成粘土瓦に由来する粘土粒子が同パネルに透水性能を富有せしめ、雨水等を地面に浸透せしめる機能を富化する。
【００１６】
更に上記セメント系床パネルは雨水又は散水を保水して太陽熱を吸収し、保水水分の蒸発によって該太陽熱を放出し冷却する機能に富み、自然環境を保全する陸屋根の床パネルとして有効である。
【００１７】
上記ショットブラスト加工を施して粗面にした床パネルは、上記釉薬片が表面に点在する効果と相俟ってその表飾効果を高め、又ショットブラストによる粗面は透水効果を更に向上する。
【００１８】
又本発明は産業廃棄物の有効利用を図ると共に、セメント系床パネルのコスト削減に寄与する。
【発明を実施するための最良の形態】
【００１９】
以下本発明を実施するための最良の形態を図１乃至図６に基づいて説明する。図１に基づき説明したように、釉薬瓦１は多空隙構造の焼成粘土層から成る焼成素地瓦２と、該焼成素地瓦２の表面に硬質で耐水性に富む焼成発色釉薬層３を有する。
【００２０】
本発明はセメントと骨材の混合材から成るセメント系床パネルにおいて、該骨材として、上記表面に発色釉薬層３を有する焼成粘土瓦（釉薬瓦）１の廃材を資材とし、該釉薬瓦１を粉砕して得られた粘土粒子を用い、床材に求められる美粧効果と透水効果を付与したセメント系床パネルＰを提供するものである。
【００２１】
前記焼成粘土瓦１は表面に発色釉薬層３を有する特有の組成構造を有し、この焼成粘土瓦１を粉砕することにより、図３Ａに拡大概示する全体が焼成粘土から成る粘土粒子２ａと、図３Ｂに拡大概示する表面に発色釉薬片３ａが結合された粘土粒子２ａとを得る。
【００２２】
上記粘土粒子２ａは１ｍｍ〜１０ｍｍのものが混在した大きさである。
【００２３】
又上記二種類の粘土粒子２ａに加え、図３Ｃに拡大概示する焼成粘土瓦表面の釉薬層３のみが剥落して粉砕された釉薬片３ａを得る。
【００２４】
上記発色釉薬層３を有する焼成粘土瓦１に由来する、上記全体が焼成粘土から成る粘土粒子２ａと、表面に発色釉薬片３ａが結合された粘土粒子２ａと、表面の釉薬層３が剥落して粉砕された焼成発色釉薬片３ａを、セメントと砂の混合材に混合し、加水混練して図４に例示するセメント系床パネルＰを成形する。
【００２５】
粘土粒子２ａは上記加水混練時に、崩壊されて更に細分化され、釉薬片３ａは粘土粒子２ａから剥離される。
【００２６】
上記セメントＡに対する発色釉薬片３ａを含む粘土粒子２ａ（全体が焼成粘土から成る粘土粒子と表面に発色釉薬片が結合された粘土粒子）と砂Ｂの配合比は、Ａ：２ａ：Ｂ＝１：１．０〜２．０：１．０〜２．０とする。
【００２７】
上記図４に示すセメント系床パネルＰは図２に基づき説明したように、表層部を縦横の目地溝４にて多数の小ブロック５に目地割りし、下層部に網材６に代表される屈撓性連結材を埋設し、目地溝４底部の接合部における割れ７を生起せしめて各小ブロック５を網材６にて連結しつつ屈撓せしめ、これにより敷設面の不陸を吸収して安定に敷設できるようにした構造を有する。上記割れ７は雨水の透過に寄与する。
【００２８】
図５に示すように、上記実施例に係るセメント系床パネルＰは上記発色釉薬片（粘土粒子表面に結合された発色釉薬片又は／及び発色釉薬片単体）３ａがパネル表面に無数に露出点在した地肌模様を形成する。
【００２９】
図６に示すように、上記実施例に係るセメント系床パネルＰの表面をショットブラスト加工により粗面８に形成すると共に、該ショットブラスト加工により該粗面８に上記発色釉薬片（粘土粒子表面に結合された発色釉薬片又は／及び発色釉薬片単体）３ａが無数に露出点在し形成された地肌模様を顕在化せしめ、該発色釉薬片３ａに由来する地肌模様と上記粗面８とが協働してパネル表面に特有の地肌模様を醸成する。
【００３０】
上記セメント系床パネルＰは、防水施工を施した平屋根、バルコニー、ベランダ等に敷設して防水層を保護しつつ歩行面を形成すると共に、雨水を透水せしめて防水層で遮水する機能を有し、上記焼成粘土瓦に由来する粘土粒子はセメント系床パネルＰにこの透水性能を富有せしめる。
【００３１】
同様に広場や歩道等の地面を覆工したセメント系床パネルＰは、上記焼成粘土瓦に由来する粘土粒子が同パネルに透水性能を富有せしめ、雨水等を地面に浸透せしめる機能を富加する。
【００３２】
更に上記セメント系床パネルＰは雨水又は散水を保水して太陽熱を吸収し、保水水分の蒸発によって該太陽熱を放出し冷却する機能に富み、自然環境を保全する床パネル、特に建物の陸屋根の床パネルとして最適である。
【００３３】
又上記ショットブラスト加工を施して粗面８にした床パネルＰは、上記透水効果を更に向上する。
【００３４】
又上記セメント系床パネルによって瓦製造工場又は建築現場から多量に排出される焼成粘土瓦（産業廃棄物）の有効利用を図ると共に、セメント系床パネルのコスト削減に著しく寄与する。
【図面の簡単な説明】
【００３５】
【図１】釉薬瓦、即ち焼成粘土瓦を概示する断面図。
【図２】出願人が販売するセメント系床パネルの代表例を概示する断面図。
【図３】Ａは上記釉薬瓦を粉砕して得られる全体が焼成粘土から成る粘土粒子を概示する拡大断面図、Ｂは同表面に発色釉薬片が結合された粘土粒子を概示する拡大断面図、Ｃは同発色釉薬片を概示する拡大断面図。
【図４】上記各両粘土粒子又は両粘土粒子と発色釉薬片を骨材として用いたセメント系床パネルの代表例を概示する断面図。
【図５】上記セメント系床パネルの表面の地肌模様を概示する拡大断面図。
【図６】上記ショットブラスト加工により粗面にしたセメント系床パネルの表面の地肌模様を概示する拡大断面図。
【符号の説明】
【００３６】
１…発色釉薬層を有する焼成粘土瓦、２…焼成素地瓦、２ａ…粘土粒子、３…焼成発色釉薬層、３ａ…発色釉薬片、４…目地溝、５…小ブロック、６…網材、７…割れ、８…粗面、Ａ…セメント、Ｂ…砂、Ｐ…セメント系床パネル。
【図１】
0004451373.tif 000002
【図２】
0004451373.tif 000003
【図３】
0004451373.tif 000004
【図４】
0004451373.tif 000005
【図５】
0004451373.tif 000006
【図６】
0004451373.tif 000007